(57)【要約】【課題】先端にローラー部材を配置した転写ヘッドを備えた塗膜転写具において、前記ローラー部材が転動する被転写面上の直前位置を明瞭に観察できるようにすること。【解決手段】転写ヘッド９には、ローラー部材１１と、当該ローラー部材の軸方向の両端部をそれぞれ両脚部１２ａ，１２ｂにおいて回転可能に支持する二股状に形成されたホルダ部材１２が具備されている。この構成に加えて前記転写ヘッド９には、ホルダ部材の前記両脚部と、当該両脚部を一体に結合するホルダ中央部１２ｃと、当該ホルダ中央部に対峙する前記ローラー部材１１のローラー面とで四方が囲まれた窓状の空間部Ａが形成されている。この窓状の空間部Ａの存在により、ローラー部材１１が転動する被転写面上の直前位置を前記窓状の空間部Ａを介して観察することができ、被転写面上の所望の位置に正確に塗膜の転写操作を実行することができる。【選択図】図２
2007196624.tif 000002
【特許請求の範囲】
【請求項１】
開口部を形成した中空状のケース内に、転写テープの巻き出し回転部と使用済みテープの巻き取り回転部が収容され、前記巻き出し回転部より巻き出された転写テープが前記開口部に設置されたローラー部材を含む転写ヘッドを経由して、前記巻き取り回転部に巻き取られるように構成されると共に、前記ローラー部材を被転写面上に転動させることにより、当該被転写面に前記転写テープより塗膜を転写することができるように構成した塗膜転写具であって、
前記転写ヘッドには、前記ローラー部材と、当該ローラー部材の軸方向の両端部をそれぞれ両脚部において回転可能に支持する二股状に形成されたホルダ部材が具備され、かつ前記転写ヘッドには、前記ホルダ部材の前記両脚部と、当該両脚部を一体に結合するホルダ中央部と、当該ホルダ中央部に対峙する前記ローラー部材のローラー面とで四方が囲まれた窓状の空間部が形成され、前記ローラー部材が転動する被転写面上の直前位置を、前記窓状の空間部を介して観察できるように構成したことを特徴とする塗膜転写具。
【請求項２】
前記ローラー部材は、前記テープが接するテープ幅に対応する第１領域と、前記第１領域よりも外側の第２領域で、軸方向に色分けして構成されていることを特徴とする請求項１に記載された塗膜転写具。
【請求項３】
前記ローラー部材から前記巻き取り回転部に向かって移送される使用済みテープの移送経路に、前記使用済みテープのテープ幅にほぼ等しい間隔をもって互いに平行状態に対向する平面部を備えたガイド部材が前記ホルダ部材に形成され、前記ガイド部材における対向する各平面部が、前記窓状の空間部に臨むように構成されると共に、前記対向する平面部が前記ローラー部材の直上方向に向かってそれぞれ延出された構成にされていることを特徴とする請求項１または請求項２に記載された塗膜転写具。
【請求項４】
前記ローラー部材が透過性の素材により構成されていることを特徴とする請求項１ないし請求項３のいずれか１項に記載された塗膜転写具。
【発明の詳細な説明】
【技術分野】
【０００１】
この発明は、透過性素材によるテープ基材の表面に、同じく透過性の粘着剤（糊）や装飾剤を薄膜状に塗着した転写テープを使用し、その転写テープの塗膜を紙面等の被転写面上に圧接することにより転写可能にする塗膜転写具に関する。
【背景技術】
【０００２】
この種の一般的な塗膜転写具は、中空状のケース内に転写テープの巻き出し回転部と使用済みテープの巻き取り回転部が収容され、前記巻き出し回転部より巻き出された転写テープが、ケース前端の開口部に配置された転写ヘッドを経由して、前記巻き取り回転部に巻き取られるように構成されている。
【０００３】
そして、前記ケースをユーザが把持し、前記転写ヘッドを紙面等の被転写面上に押し着けながら後方に引くことにより、前記転写ヘッドによる圧接作用により、転写テープ上に塗着された塗膜を被転写面上に連続的に転写させることができる。
【０００４】
この様な塗膜転写具を用いる場合においては、塗膜が被転写面である紙面等における所望の位置に正確に転写されることが重要である。しかしながら、前記した従来の塗膜転写具においては、転写ヘッドを紙面等の被転写面上に接近させた場合、その転写ヘッド自体が障害物となって、被転写部分をユーザが視認することができず、所望とする転写位置からずれた部分に塗膜を転写させるという問題が度々発生する。
【０００５】
そこで、前記した問題点を解消するために、転写ヘッドの全体を透明樹脂により構成することで、転写ヘッドが接する被転写面上を転写ヘッドを介して透視できるようしたもの（特許文献１参照）、また転写ヘッドの左右に転写テープの案内ガイドを付設した構成において、前記案内ガイドと転写ヘッドの一部にそれぞれ第１と第２の窓部を形成させて、転写ヘッドの斜め上方から前記各窓部を介して転写部位を観察できるように構成したもの（特許文献２参照）などが提案されている。
【特許文献１】特開平９−１５６２９８号公報
【特許文献２】特開２００４−６６６８８号公報
【発明の開示】
【発明が解決しようとする課題】
【０００６】
ところで前記した特許文献１に開示された転写ヘッドの構成は、その先端部が薄板状に成形された比較的単純なチップ構成のものであり、したがって薄板状の転写ヘッドの全体を例えば透明の合成樹脂素材により成形することで、転写ヘッドが接する被転写面上を樹脂素材を介して透視することが可能となる。
【０００７】
しかしながら、昨今においては転写ヘッドの先端部にローラー部材を回転可能に配備し、被転写面上を前記ローラー部材を転動させることで、使用感に優れた塗膜転写具が提供されている。特に転写される前記塗膜が例えば糊のような粘着剤である場合においては、前記転写ヘッドの先端部にはローラー部材を採用することが望まれ、この種のいわゆるテープ糊と称される塗膜転写具には、ローラー部材が多用されている。
【０００８】
そこで、ローラー部材を回転可能に取り付けた転写ヘッド全体を、特許文献１に開示されたように透明の素材により形成することが想起し得るが、特許文献１に開示されたように薄板状の転写ヘッドへの応用例を、そのままローラー部材を回転可能に配備した転写ヘッドに採用しても同様の作用効果を期待することはできない。
【０００９】
すなわち、ローラー部材を回転可能に保持するホルダ部材等は機械的な強度を補償するために、ある程度の機構的な厚みが必要であり、これにたとえ透明な樹脂素材を用いたとしても、これを透視してローラー部材が転動する被転写面上の直前位置を観察できるように構成することはほとんど不可能である。それ故、ローラー部材を備えた転写ヘッドの構成においては、前記したように透明な素材を用いて透視する手段を採用することには限界がある。
【００１０】
一方、前記した特許文献２に開示された転写ヘッドにおいても、同様にその先端部が薄板状になされたチップ構成のものが示されている。したがって、この特許文献２に示された構成をそのままローラー部材を備えた転写ヘッドの構成に採用することにも無理が生ずる。
【００１１】
すなわち、たとえローラー部材を備えた転写ヘッドの構成に、特許文献２に開示されたような構成を採用し得たとしても、転写ヘッドの斜め上方から第１と第２の窓部を介して転写部位を観察するようにした構成においては、転写テープの中央部分を観察することができず、したがって所望とする転写部位のセンターからずれた位置に塗膜を転写させるという使い勝手の悪い問題が残される。
【００１２】
この発明は前記したようにローラー部材を用いた転写ヘッドを具備した塗膜転写具に着目してなされたものであり、前記ローラー部材が転動する被転写面上の直前位置の中央部分を明瞭に観察することができ、これにより被転写面上の所望の位置に正確に、かつ能率的に塗膜の転写操作を実行することができる塗膜転写具を提供することを課題とするものである。
【課題を解決するための手段】
【００１３】
前記した課題を解決するためになされたこの発明にかかる塗膜転写具は、開口部を形成した中空状のケース内に、転写テープの巻き出し回転部と使用済みテープの巻き取り回転部が収容され、前記巻き出し回転部より巻き出された転写テープが前記開口部に設置されたローラー部材を含む転写ヘッドを経由して、前記巻き取り回転部に巻き取られるように構成されると共に、前記ローラー部材を被転写面上に転動させることにより、当該被転写面に前記転写テープより塗膜を転写することができるように構成した塗膜転写具であって、前記転写ヘッドには、前記ローラー部材と、当該ローラー部材の軸方向の両端部をそれぞれ両脚部において回転可能に支持する二股状に形成されたホルダ部材が具備され、かつ前記転写ヘッドには、前記ホルダ部材の前記両脚部と、当該両脚部を一体に結合するホルダ中央部と、当該ホルダ中央部に対峙する前記ローラー部材のローラー面とで四方が囲まれた窓状の空間部が形成され、前記ローラー部材が転動する被転写面上の直前位置を、前記窓状の空間部を介して観察できるように構成した点に特徴を有する。
【００１４】
この場合、前記ローラー部材は、前記テープが接するテープ幅に対応する第１領域と、前記第１領域よりも外側の第２領域で、軸方向に色分けして構成されていることが望ましい。
【００１５】
また、他の好ましい形態として、前記ローラー部材から前記巻き取り回転部に向かって移送される使用済みテープの移送経路に、前記使用済みテープのテープ幅にほぼ等しい間隔をもって互いに平行状態に対向する平面部を備えたガイド部材が前記ホルダ部材に形成され、前記ガイド部材における対向する各平面部が、前記窓状の空間部に臨むように構成されると共に、前記対向する平面部が前記ローラー部材の直上方向に向かってそれぞれ延出された構成になされる場合もある。
【００１６】
さらに前記した構成に加えて、他の好ましい形態として前記ローラー部材を透過性の素材により構成させる場合もある。
【発明の効果】
【００１７】
前記した構成の塗膜転写具によると、転写ヘッドを構成するホルダ部材の両脚部と、当該両脚部と一体に成形されたホルダ中央部と、当該ホルダ中央部に対峙するローラー部材のローラー面とで四方が囲まれた窓状の空間部が形成された構成にされているので、この窓状の空間部を介して、前記ローラー部材が転動する被転写面上の直前位置を観察することができる。
【００１８】
したがって、ローラー部材が転動する被転写面上の直前位置、特に前記直前位置の中央部分を明瞭に観察することが可能となる。これにより被転写面上の所望の位置に正確に、かつ能率的に塗膜の転写操作を実行することができる。
【００１９】
また、前記ローラー部材を前記テープが接するテープ幅に対応する部分と、その外側部分とで色分けして構成することで、前記テープ基材が透明な素材で明瞭に視認し難い状態であっても、色分けされた前記ローラー部材を観ることにより、被転写面上における塗膜の転写対象位置を容易に把握することができる。
【００２０】
さらに、前記したようにガイド部材に互いに対向する平面部が備えられ、対向する平面部が前記ローラー部材の直上方向に向かってそれぞれ延出された構成にすることで、同様に前記テープ基材が透明な素材であっても、前記窓状の空間部と対向する平面部との位置関係から、被転写面上への塗膜が転写される位置を容易に予測することができる。
【００２１】
これに加えて、透過性の素材により前記ローラー部材を形成することにより、前記窓状の空間部に加えて、被転写面上の観察範囲をより拡大することができ、塗膜転写の位置決めをより容易にすることに寄与できる。
【発明を実施するための最良の形態】
【００２２】
以下、この発明にかかる塗膜転写具について、図に示す実施の形態に基づいて説明する。なお、以下においては透過性素材によるテープ基材の表面に、粘着剤（糊）を薄膜状に塗着した転写テープを使用するいわゆるテープ糊と称される塗膜転写具を例にして説明する。
【００２３】
図１は塗膜転写具の全体構成について、その一部を透視状態で示した正面図である。この塗膜転写具は、その外郭が透明もしくは半透明の合成樹脂素材により中空状に形成されたケース１により構成されている。そして、前記ケース１内には、第１支軸２および第２支持軸３がケースと一体に形成されており、前記第１支軸２には、転写テープの巻き出し回転部５が回転可能に取り付けられており、第２支持軸３には使用済みテープの巻き取り回転部６が回転可能に取り付けられている。
【００２４】
一方、前記ケース１の前端部（図１に示す巻き出し回転部５の左側）には、開口部７が形成されている。そして、ケース１の前記開口部７の近傍には、ケース１の内壁面から突出するようにして壁状の取り付け部８が形成されており、この取り付け部８に対して、基端部が嵌め込まれるようにして取り付けられた転写ヘッド９が、前記ケース１の開口部７より突出するようにして配置されている。
【００２５】
前記巻き出し回転部５と巻き取り回転部６の一側面には、それぞれ大径のプーリと小径のプーリが一体に形成されており、これらのプーリ間にはゴム製の伝達ベルト１０が張架されている。そして、前記巻き出し回転部５より巻き出された転写テープＴ１は、前記開口部７に設置された転写ヘッド９を経由して、前記巻き取り回転部６に巻き取られるように構成されている。
【００２６】
すなわち、前記転写ヘッド９の先端部には、後で詳細に説明するようにローラー部材が回転可能に配置されており、前記ケース１を把持し、前記ローラー部材を紙面等の被転写面上に押し着けながら後方に引くことにより、前記転写ヘッド９による圧接作用により、転写テープ上に塗着された塗膜（糊）を被転写面上に連続的に転写させることができる。
【００２７】
この場合、前記転写テープＴ１は前記ローラー部材の転動により巻き出し回転部５より巻き出される。前記転写テープＴ１の繰り出しに伴って巻き出し回転部５は図１において左回転し、前記伝達ベルト１０を介して巻き取り回転部６も同方向に回転駆動を受ける。したがって、転写ヘッド９を経由した使用済みテープＴ２は前記巻き取り回転部６に巻き取られる。
【００２８】
この時、前記巻き出し回転部５に対して巻き取り回転部６は、前記したプーリ径の差によって回転が増速されるように作用する。そして、前記各プーリと前記伝達ベルト１０との間ですべりを伴いつつ使用済みテープＴ２にテンションが与えられ、これにより巻き取り回転部６はたるみなく使用済みテープＴ２を巻き取ることができる。
【００２９】
図２および図３は、前記したローラー部材を含む転写ヘッド９の第１の構成例を拡大して示したものであり、図２は転写ヘッド９を斜め上方から視た状態の斜視図であり、図３は同じ転写ヘッド９をさらに上方から視た状態の斜視図で示している。なお、図２においては、前記転写テープＴ１（使用済みテープＴ２）が装填された状態で示しており、図３は前記テープが装填されていない状態で示している。
【００３０】
図２および図３に示すように転写ヘッド９は、ローラー部材１１と、当該ローラー部材１１を回転可能に支持するホルダ部材１２とにより構成されている。前記ホルダ部材１２には、前記ローラー部材１１の軸方向の両端部をそれぞれ回転可能に支持する二股状に形成された一対の脚部１２ａ，１２ｂがそれぞれ形成されており、前記両脚部１２ａ，１２ｂを一体に結合するホルダ中央部１２ｃは、板状のアーム部１２ｄに一体に連結されており、前記アーム部１２ｄの基端部１２ｅは角柱状に成形されている。
【００３１】
すなわち、角柱状に成形された前記基端部１２ｅは、すでに説明したケース１の開口部近傍における内壁面に形成された取り付け部８に嵌め込まれることで、転写ヘッド９はケース１に取り付けられている。この構成により、転写ヘッド９の先端部に取り付けられた前記ローラー部材１１が、外郭を構成する前記ケース１の開口部７より突出するようにして配置される。
【００３２】
前記した転写ヘッド９の構成において、この実施の形態においては特に前記ローラー部材１１を回転可能に支持する両脚部１２ａ，１２ｂと、当該両脚部を一体に結合するホルダ中央部１２ｃと、当該ホルダ中央部に対峙する前記ローラー部材１１のローラー面とで四方が囲まれた窓状の空間部Ａが形成されている点に特徴を有する。
【００３３】
前記した転写ヘッド９の構成によると、ローラー部材１１とホルダ部材１２との間に窓状の空間部Ａが形成されているので、透過性素材によるテープ基材を介して、前記ローラー部材１１が転動する紙面等の被転写面上の直前位置を観察することができる。したがって、ローラー部材が転動する被転写面上の直前位置、特に前記直前位置の中央部分を明瞭に観察することが可能となる。これにより被転写面上の所望の位置に正確に、かつ能率的に塗膜の転写操作を実行することが可能となる。
【００３４】
なお、図２に示したローラー部材１１の構成においては、前記テープが接するテープ幅に対応する第１領域１１ａと、前記第１領域よりも外側の第２領域１１ｂで、軸方向に色分けして構成されている。このローラー部材は、回転可能に支持される軸体と、この軸体を覆う例えばシリコンゴム等で成形されたチューブ部材とにより構成されている。したがって、前記第１領域１１ａに対応するチューブ部材を例えば白色のものを、またその両外側の第２領域１１ｂに対応するチューブ部材を例えば青色のものを利用することで、前記した構成を実現させることができる。
【００３５】
図２に示したように前記ローラー部材１１を前記テープが接するテープ幅に対応する部分と、その外側部分とで色分けして構成することで、前記テープ基材およびこれに塗着された転写物が透明な素材で視認し難い状態であっても、前記した窓状の空間部Ａが形成された位置における色分けされた前記ローラー部材の第１領域１１ａを観ることにより、被転写面に対するテープの接触位置、すなわち被転写面上への塗膜の転写対象位置を容易に把握することができる。
【００３６】
図４は、前記した転写ヘッド９における、他の好ましい実施の形態を示したものであり、この図４においてはすでに説明した図２に示す実施の形態と同様の方向から視た状態で示している。なお、図４においては図２に示す各部と同様の機能を果たす部分を同一の符号で示しており、したがってその詳細な説明は省略する。
【００３７】
図４に示した転写ヘッド９の構成は、図２に示した構成に加えて、ローラー部材１１から前記巻き取り回転部に向かって移送される使用済みテープＴ２の移送経路に、使用済みテープＴ２のテープ幅にほぼ等しい間隔をもって互いに平行状態に対向する平面部１４ａ，１４ｂを備えたガイド部材１５ａ，１５ｂが、前記ホルダ部材１２に突出するようにして形成されている。
【００３８】
そして、対向する前記各平面部１４ａ，１４ｂが、前記した窓状の空間部Ａに臨むように構成されると共に、前記対向する平面部１４ａ，１４ｂが前記ローラー部材１１の直上方向に向かってそれぞれ延出された構成にされている。
【００３９】
前記した構成によると、ガイド部材１５ａ，１５ｂにおける対向する平面部１４ａ，１４ｂが、ローラー部材１１の直上方向に向かってそれぞれ延出された構成にされているので、前記テープ基材が透明な素材で明瞭に視認し難い状態であっても、窓状に形成された前記空間部Ａと、対向する平面部１４ａ，１４ｂとの位置関係から、被転写面上への塗膜が転写される位置を容易に予測することができる。
【００４０】
なお、前記したように対向する平面部１４ａ，１４ｂを有するガイド部材１５ａ，１５ｂを備えた構成に加え、図２に基づいて説明したように、前記テープが接するテープ幅に対応する部分と、その外側部分とで色分けしたローラー部材１１を採用するように構成することもできる。
【００４１】
図５は、前記した転写ヘッド９における、さらに他の好ましい実施の形態を示したものである。なお、この図５においてはすでに説明した図２に示す各部と同様の機能を果たす部分を同一の符号で示しており、したがってその詳細な説明は省略する。
【００４２】
図５に示す転写ヘッド９の構成においては、前記ローラー部材１１が透過性の素材により構成されている点に特徴を有するものである。すなわち、この実施の形態においては、ローラー部材１１は、ホルダ部材１２によって回転可能に支持される軸体１１Ａと、この軸体を覆いローラー面を形成するチューブ部材１１Ｂにより構成されている。そして前記チューブ部材１１Ｂは透過性の素材のものが採用されている。
【００４３】
図５に示した構成の転写ヘッド９によると、ローラー部材１１が透過性の素材により構成されているので、前記した窓状の空間部Ａに加えて、被転写面上の観察範囲をより拡大させることができる。したがって、塗膜転写の位置決めをより容易にすることに寄与できる。
【図面の簡単な説明】
【００４４】
【図１】この発明にかかる塗膜転写具の全体構成を示した正面図である。
【図２】図１に示す塗膜転写具に具備される転写ヘッドの第１の構成例を示した拡大斜視図である。
【図３】図２に示した同じ転写ヘッドをさらに上方から視た状態の斜視図である。
【図４】転写ヘッドの第２の構成例を示した拡大斜視図である。
【図５】転写ヘッドの第３の構成例を示した拡大斜視図である。
【符号の説明】
【００４５】
１              ケース
５              巻き出し回転部
６              巻き取り回転部
７              開口部
９              転写ヘッド
１０            伝達ベルト
１１            ローラー部材
１１Ａ          軸体
１１Ｂ          チューブ部材
１１ａ          第１領域
１１ｂ          第２領域
１２            ホルダ部材
１２ａ，１２ｂ  脚部
１２ｃ          ホルダ中央部
１２ｄ          アーム部
１２ｅ          基端部
Ａ              窓状空間部
Ｔ１            転写テープ
Ｔ２            使用済みテープ
【図１】
2007196624.tif 000003
【図２】
2007196624.tif 000004
【図３】
2007196624.tif 000005
【図４】
2007196624.tif 000006
【図５】
2007196624.tif 000007